(57)【要約】【課題】  既存の時計の外観を向上させるのに、複雑な部品構成等を不要にして簡単に装飾性を増すことができ、しかも、デザイン上の制約を受けず、さらに、新しいデザインに変更することも簡単にできるようにする。【解決手段】  １〜１２の文字からなる時計の文字と、切り取り線が表記される透明な樹脂フィルムを、人物画や風景画や有名な建造物画等の任意の意匠が表記される意匠部材の上に重ねて、これを紙または樹脂シートなどの装飾シートに印刷し、装飾シートに印刷された切り取り線部を切断して装飾文字盤を作成し、既存の時計の文字盤部の箇所に貼り付ける。【選択図】      図１
2015017867.tif 000002
【特許請求の範囲】
【請求項１】
中心部と、時計文字盤に表示される１〜１２の文字と、切り取り線とが表記される透明な樹脂フィルムを、任意の意匠が表記される意匠部材の上に重ねて、紙または樹脂シートなどの装飾シートに印刷し、その後、前記装飾シートに印刷される切り取り線部を切断することで、時計の装飾文字盤を作成する工程と、既存の時計のガラス部を外して、時計の針を外した後、既存の文字盤部の上に前記装飾文字盤を貼り付ける工程と、取り外した時計の針とガラス部を組み付けることで装飾時計を完成させる工程を備えたことを特徴とする装飾時計の製造方法。
【請求項２】
既存の時計の文字盤部に、請求項１記載の方法で作成した装飾文字盤が貼り付けられていることを特徴とする装飾時計。
【請求項３】
任意の意匠が表記される意匠部材の意匠を装飾文字盤として取り入れるための透明な樹脂フィルムであって、中心部と、時計文字盤に表示される１〜１２の文字と、切り取り線とが表記され、この切り取り線は、前記時計文字盤に表示される１〜１２の文字の周囲と前記中心部の周囲を囲うように表記されることを特徴とする装飾時計製造用の樹脂フィルム。
【発明の詳細な説明】
【技術分野】
【０００１】
本発明は、例えば１００円ショップで販売されるような既存の時計の文字盤を簡易に装飾して見栄えを向上させるような技術に関する。
【背景技術】
【０００２】
従来、アラーム時計や壁時計やナップザックなどに装着される時計の固定ガラスの上に購入者が直接装飾部材を取り付けて外観を装飾するような技術が知られており（例えば、特許文献１参照。）、このような技術では好みにデザインしたガラス、プラスチック材、紙、鏡、セラミックなど装飾部材を固定ガラス上に取り付けるとともに、装飾部材が透明素材でない場合には、針の視認を妨げないようにして固定ガラスの上に取り付けるようにしている。
【先行技術文献】
【特許文献】
【０００３】
【特許文献１】特開平６−２８１７５３号公報
【発明の概要】
【発明が解決しようとする課題】
【０００４】
ところが、上記のような技術では、固定ガラス上に装飾部材を取り付けるため、装飾部材を時計に固定するための支持体などの別個の部品を必要とし、また、装飾部材が透明素材でない場合には、針の視認を妨げるようなデザインを採用することができず、デザイン上の制約を受けるという難点があった。
【０００５】
そこで本発明は、既存の時計の外観を向上させるのに、複雑な部品構成等を不要にして簡単に装飾性を増すことができ、しかも、デザイン上の制約を受けず、しかも、新しいデザインに変更することも簡単にできるようにすることを目的とする。
【課題を解決するための手段】
【０００６】
上記目的を達成するため本発明は、装飾時計の製造方法として、中心部と、時計文字盤に表示される１〜１２の文字と、切り取り線とが表記される透明な樹脂フィルムを、任意の意匠が表記される意匠部材の上に重ねて、紙または樹脂シートなどの装飾シートに印刷し、その後、前記装飾シートに印刷される切り取り線部を切断することで、時計の装飾文字盤を作成し、その後、既存の時計のガラス部を外して、時計の針を外した後、既存の文字盤部の上に前記装飾文字盤を貼り付け、取り外した時計の針とガラス部を組み付けることで装飾時計を完成させるようにした。
【０００７】
このように、中心部と、時計文字盤に表示される１〜１２の文字と、切り取り線とが表示される透明な樹脂フィルムを任意の意匠が表記される意匠部材の上に重ね、これを装飾シートに印刷することで、樹脂フィルムの表示内容と意匠部材の意匠とが装飾シートに同時に印刷され、印刷される装飾シートの切り取り線を切断すれば、簡単に装飾文字盤が作成できる。
このため、切り取り線としては、時計文字盤に表示される１〜１２の文字の周囲と中心部の周囲を囲うようにしておくことが好ましい。
ここで、意匠部材に表記される意匠としては、例えば、風景画や地域の有名な名所や個人写真などの任意の画像などが好適であり、色付きであっても白黒であってもよい。
また、１〜１２の文字タイプや色彩なども任意であり、装飾文字盤の形状なども任意である。
【０００８】
そして、既存の時計からガラス部を外して時計の針を取り外した後、既存の文字盤部の上に装飾文字盤を貼り付ければ、簡単に装飾性を高めることができる。この際、貼り付ける手段は任意であり、糊など使用してもよく、両面接着テープなどを使用してもよいが、両面接着テープなどを使用すれば、その後もデザインを簡単に変更できるため好適である。そして、その後、針やガラス部を組み付けることで、簡単に装飾性を高めた時計を製造することができる。
なお、既存の時計としては、１００円ショップで販売されている壁掛け時計や置時計などを利用すれば、時計の針やガラス部の分解が容易であるため好適である。
【発明の効果】
【０００９】
中心部や時計文字盤に表示される１〜１２の文字や切り取り線が表示される透明な樹脂フィルムを、意匠部材の上に重ねて、紙または樹脂シートなどの装飾シートに印刷することで、任意の意匠が施された装飾文字盤を作成して、既存の時計の文字盤部に貼り付けることで装飾性を増すことができ、またデザインの変更が容易で、複雑な部品を必要としないで製造することができる。
【図面の簡単な説明】
【００１０】
【図１】本発明に係る装飾文字盤を装着した装飾時計の一例を示す説明図である。
【図２】装飾時計を作成する際に使用する透明な樹脂フィルムの一例を示す説明図である。
【図３】装飾シートに透明な樹脂フィルムを重ねた状態の説明図である。
【図４】時計のガラス部と針を外した状態の説明図である。
【図５】従来の時計の一例を示す説明図である。
【発明を実施するための形態】
【００１１】
本発明に係る装飾時計製造の技術は、既存の時計の外観を向上させるのに、複雑な部品構成等を不要にして簡単に装飾性を増すことができ、しかも、デザイン上の制約を受けず、さらに、新しいデザインに変更することも簡単にできるようにされ、特に１００円ショップで販売されている壁掛け時計や置時計などの装飾性を向上させるのに好適な技術として提案されている。
【００１２】
すなわち、本発明に使用される既存の時計は、例えば図５に示すような壁掛け式の時計１Ｂであり、この時計１Ｂは、図４に示すように、周囲の枠体２と、元の文字盤３Ｂが装着される文字盤支持台４と、この文字盤支持台４の裏側に取り付けられる駆動部５と、文字盤３Ｂの前面側の枠体２に組み込まれるガラス部６を備えており、前記駆動部５の中央部には、電池の装着によって回転する大径と小径の筒状の回転軸７ａ、７ｂが突設されており、大径の回転軸７ａに短針８が、小径の回転軸７ｂに長針９が、回転軸７の筒内に設けられる不図示の回転軸に秒針１０が取り付け可能にされており、これらの構成部品が容易に分解・結合可能にされている。
因みに、このような壁掛け式の時計１Ｂは、１００円ショップで入手することができる。
【００１３】
本発明に係る装飾時計１Ａは、かかる既存の時計の一部を改良することで特殊な技能を持たなくても容易に製造できるようにされ、既存の時計１Ｂの文字盤支持台４に装着される文字盤３Ｂだけを交換し、後の部品はそのまま使用できるようにされている。
【００１４】
すなわち、本発明に係る装飾時計１Ａを製造するための構成部品としては、図２に示すような透明な樹脂フィルム１２が使用され、この樹脂フィルム１２には、少なくとも中心部ａと、中心部ａから所定箇所離れた箇所に全周に亘って等角度間隔で表示される１〜１２の文字ｂと、切り取り線部ｃとが表示され、本実施例では、切り取り線部ｃとして、文字ｂの周囲を取り囲むような大径の円部と、中心部ａを囲うような小径の円部から構成されている。
【００１５】
この際、文字ｂの周囲の大径の円部は、既存の時計の文字盤３Ｂの形状と同一であり、例えば既存の時計の文字盤３Ｂの形状が八角形であれば、それに合わせた形状の八角形の切り取り線部ｃが描かれる。
また、中心点ａ近傍の小径の円部は、既存の時計の回転軸７ａを挿通させるためであり、大径の回転軸７ａの径とほぼ同一径に描かれている。
【００１６】
この際、１〜１２の文字ｂの文字タイプや色彩等は任意であり、例えば、文字の周囲が描かれて中身が白抜きで囲まれるような文字であってもよい。
【００１７】
このような透明な樹脂フィルム１２は、例えば、図３に示すような、任意の意匠が表記される意匠部材１３の上に重ねられ、その状態で印刷機等によって紙や樹脂シート等の装飾シートにカラーや白黒等で印刷される。そして、この装飾シートに印刷される切り取り線に沿って切り取ることで、装飾文字盤を作成する。
この際、意匠部材１３に表記される意匠としては、風景画や人物画や有名な建造物の画や写真等が好適であるが任意である。
【００１８】
一方、既存の時計１Ｂは、図４に示すように、文字盤支持台４から文字盤３Ｂや駆動部５を分離させ、回転軸７ａ、７ｂから短針８、長針９、秒針１０を外しておき、文字盤支持台４の文字盤部に装飾文字盤を貼り付ける。
【００１９】
この際、貼り付け要領などは任意であるが、本実施例では、文字盤支持台４の文字盤部と装飾シートの装飾文字盤１４の裏面との間に数箇所、両面テープを使用して貼り付けるようにしている。
【００２０】
そして、文字盤支持台４上に装飾文字盤が貼り付けられると、文字盤支持台４の裏側に駆動部５が装着され、前方に張出す回転軸７ａ、７ｂなどに短針８、長針９、秒針１０が組みつけられ、ガラス部６が装着されると、図１に示すような装飾時計１Ａが出来上がる。
【００２１】
以上のような要領により、既存の時計のデザインを簡単に変更することができ、しかも、デザインの変更が購入者等によって極めて容易であるため、常に好みのデザインに変更することができる。
【００２２】
なお、本発明は以上のような実施形態に限定されるものではない。本発明の特許請求の範囲に記載した事項と実質的に同一の構成を有し、同一の作用効果を奏するものは本発明の技術的範囲に属する。
例えば、図５に示す既存の時計の形態は一例である。
【産業上の利用可能性】
【００２３】
時計の購入者自身が手軽にデザインを変更することができ、しかも特別な付加部品等も必要としないため、今後の広い普及が期待される。
【符号の説明】
【００２４】
１Ａ…装飾時計、１Ｂ…既存の時計、６…ガラス部、８…短針、９…長針、１０…秒針、１２…透明な樹脂フィルム、ａ…中心点、ｂ…１〜１２の文字、ｃ…切り取り線部。
【図１】
2015017867.tif 000003
【図２】
2015017867.tif 000004
【図３】
2015017867.tif 000005
【図４】
2015017867.tif 000006
【図５】
2015017867.tif 000007